(57)【要約】【課題】ハイカーブなレンズを使用する場合でも、レンズがリム溝１１から離脱することのない眼鏡フレームのリム１０を提供する。【解決手段】リム溝１１が、レンズを当接する面として外側傾斜面１２及び内側傾斜面１３を備え、外側傾斜面１２の傾斜長さＬ１が、内側傾斜面１３の傾斜長さＬ２よりも長い手段を採用している。【選択図】図１
2008241849.tif 000002
【特許請求の範囲】
【請求項１】
レンズの外周を嵌め込むためのリム溝を内周に備えた眼鏡フレームのリムであって、
前記リム溝が、前記レンズに当接する面として、外側傾斜面及び内側傾斜面を備え、
前記外側傾斜面の傾斜長さが、前記内側傾斜面の傾斜長さよりも長いことを特徴とする眼鏡フレームのリム。
【請求項２】
前記外側傾斜面の傾斜長さが、前記内側傾斜面の傾斜長さの１．２倍以上であることを特徴とする請求項１に記載の眼鏡フレームのリム。
【請求項３】
前記外側傾斜面が、当該リム溝に沿って形成された小溝を備えていることを特徴とする請求項１又は２に記載の眼鏡フレームのリム。
【請求項４】
前記外側傾斜面が、摩擦力を増すために粗く仕上げられていることを特徴とする請求項１乃至３の何れかに記載の眼鏡フレームのリム。
【請求項５】
前記外側傾斜面が、摩擦力を増すために樹脂を塗布されていることを特徴とする請求項１乃至４の何れかに記載の眼鏡フレームのリム。
【発明の詳細な説明】
【技術分野】
【０００１】
本発明は、眼鏡フレームのリムに関し、特に、ハイカーブのレンズに対しても容易に離脱する恐れのない眼鏡フレームのリムに関する。
【背景技術】
【０００２】
眼鏡フレームにおいて、リムはレンズを保持する部分である。すなわち、レンズの外周は、断面が略Ｖ字状に凸に形成され、リムの内周には、断面が略Ｖ字状のリム溝が形成されている。そして、レンズの外周をリム溝に嵌め込むことによって、レンズをリムに固定するようになっている。したがって、リムがレンズを強固に固定して、レンズがリムから離脱しないことが重要である。このために、リム溝の形状について幾つかの提案がされている（例えば、特許文献１）。
【０００３】
図５に示すように、特許文献１に記載された眼鏡フレームのリム１１０は、リム溝１１１のヤゲン角度Ａを、レンズ１５０のヤゲン角度Ｂよりも小さくしたものである。プラスチック系のレンズは温度変化による伸縮が大きいので、これに起因するレンズの脱落を起こし易いが、このようなヤゲン角度を採用することによって、レンズの離脱を防止することができる。
【０００４】
しかしながら、最近流行のハイカーブなレンズ（特に、細長い形状のレンズ）を使用する場合には、上記のようなリムを備えた眼鏡フレームを用いても、リムには局部的に大きな力が作用して、レンズが外れることが多かった。このため、通常のフルリムタイプの眼鏡フレームに、ハイカーブなレンズを用いることは、不向きとされている。
【特許文献１】特開平５−１９２１１号公報
【発明の開示】
【発明が解決しようとする課題】
【０００５】
この発明は、前記のような従来の問題点を解決したものであって、通常のレンズを使用する場合は勿論のこと、ハイカーブなレンズを使用する場合でも、レンズがリム溝から離脱することのない、眼鏡フレームのリムを提供することを目的とする。
【課題を解決するための手段】
【０００６】
上記の課題を解決するために、本発明の請求項１に係る眼鏡フレームのリムは、レンズの外周を嵌め込むためのリム溝を内周に備えた眼鏡フレームのリムであって、前記リム溝が、前記レンズに当接する面として、外側傾斜面及び内側傾斜面を備え、前記外側傾斜面の傾斜長さが、前記内側傾斜面の傾斜長さよりも長い手段を採用している。また、本発明の請求項２に係る眼鏡フレームのリムは、請求項１に記載の眼鏡フレームのリムにおいて、前記外側傾斜面の傾斜長さが、前記内側傾斜面の傾斜長さの１．２倍以上である手段を採用している。
【０００７】
また、本発明の請求項３に係る眼鏡フレームのリムは、請求項１又は２に記載の眼鏡フレームのリムにおいて、前記外側傾斜面が、当該リム溝に沿って形成された小溝を備えている手段を採用している。また、本発明の請求項４に係る眼鏡フレームのリムは、請求項１乃至３の何れかに記載の眼鏡フレームのリムにおいて、前記外側傾斜面が、摩擦力を増すために粗く仕上げられている手段を採用している。また、本発明の請求項５に係る眼鏡フレームのリムは、請求項１乃至４の何れかに記載の眼鏡フレームのリムにおいて、前記外側傾斜面が、摩擦力を増すために樹脂を塗布されている手段を採用している。
【発明の効果】
【０００８】
通常、眼鏡レンズは、眼鏡フレームのリムに対して外側に向かって力を受けたときに外れることが多い。本発明の眼鏡フレームのリムは、上記の手段を採用することにより、従来の問題点を解決したものであって、通常のレンズを使用する場合は勿論のこと、ハイカーブなレンズを使用する場合でも、レンズがリム溝から離脱することのないものである。
【発明を実施するための最良の形態】
【０００９】
以下、添付の図を参照して本発明を具体的に説明する。本発明の実施の一例を図１に示す。ここに示す眼鏡フレームのリム１０は、その内周にレンズの外周を嵌め込むためのリム溝１１を備えている。また、リム溝１１は、レンズに当接する面として、外側傾斜面１２及び内側傾斜面１３を備えている。そして、外側傾斜面１２の傾斜長さＬ１が、内側傾斜面１３の傾斜長さＬ２よりも長く形成することを特徴としている。したがって、レンズがリム溝１１に対して外側に向かう力を受けたときでも、外側傾斜面１２がレンズを強固に保持して、レンズの離脱を阻止することができる。
【００１０】
外側傾斜面１２の傾斜長さＬ１は、内側傾斜面１３の傾斜長さＬ２の１．２倍以上であることが好ましく、１．３倍以上であることがより好ましい。これによって、レンズがリム溝１１から離脱することを防ぐことができる。また、外側傾斜面１２の傾斜長さＬ１は、内側傾斜面１３の傾斜長さＬ２の１．８倍以下であることが好ましく、１．７倍以下であることがより好ましい。これによって、リム１０の外観を損なうことなく、目的を達成することができる。なお、その他の形状に関しては、従来と同様とすることができる。例えば、ヤゲン角度としては１１０度程度とすることが好ましい。
【００１１】
また、本発明の他の例を図２に示す。ここに示す眼鏡フレームのリム２０は、その内周にレンズの外周を嵌め込むためのリム溝２１を備えている。また、リム溝２１は、レンズに当接する面として、外側傾斜面２２及び内側傾斜面２３を備えている。そして、外側傾斜面２２の傾斜長さは、内側傾斜面２３の傾斜長さよりも長く形成されると共に、外側傾斜面２２が小溝２５、２６を備えていることを特徴としている。
【００１２】
すなわち、二つの小溝２５、２６は、外側傾斜面２２の面上において、リム溝２１に沿って形成されている。この結果、レンズがリム溝２１に対して外側に向かう力を受けたときでも、外側傾斜面２２の小溝２５、２６がレンズを強固に保持して、レンズの離脱を阻止することができる。
【００１３】
また、本発明の他の例を図３に示す。ここに示す眼鏡フレームのリム３０は、その内周にレンズの外周を嵌め込むためのリム溝３１を備えている。また、リム溝３１は、レンズに当接する面として、外側傾斜面３２及び内側傾斜面３３を備えている。そして、外側傾斜面３２の傾斜長さは、内側傾斜面３３の傾斜長さよりも長く形成されると共に、外側傾斜面３２が摩擦力を増すために粗く仕上げられていることを特徴としている。
【００１４】
すなわち、粗く仕上げられた外側傾斜面３２は、レンズに対して摩擦力が強化されている。この結果、レンズがリム溝３１に対して外側に向かう力を受けたときでも、外側傾斜面３２が強い摩擦力でレンズを強固に保持して、レンズの離脱を阻止することができる。
【００１５】
また、本発明の他の例を図４に示す。ここに示す眼鏡フレームのリム４０は、その内周にレンズの外周を嵌め込むためのリム溝４１を備えている。また、リム溝４１は、レンズに当接する面として、外側傾斜面４２及び内側傾斜面４３を備えている。そして、外側傾斜面４２の傾斜長さは、内側傾斜面４３の傾斜長さよりも長く形成されると共に、外側傾斜面４２が摩擦力を増すために樹脂４４を塗布されていることを特徴としている。
【００１６】
すなわち、樹脂４４が塗布された外側傾斜面４２は、レンズに対して摩擦力が強化されている。この結果、レンズがリム溝４１に対して外側に向かう力を受けたときでも、外側傾斜面４２が強い摩擦力でレンズを強固に保持して、レンズの離脱を阻止することができる。
【図面の簡単な説明】
【００１７】
【図１】本発明の眼鏡フレームのリムの一例を示す概略断面図である。
【図２】本発明の眼鏡フレームのリムの他の例を示す概略断面図である。
【図３】本発明の眼鏡フレームのリムのまた別の例を示す概略断面図である。
【図４】本発明の眼鏡フレームのリムのさらに別の例を示す概略断面図である。
【図５】従来の眼鏡フレームのリムを示す概略断面図である。
【符号の説明】
【００１８】
１０、２０、３０、４０、１１０    眼鏡フレームのリム
１１、２１、３１、４１、１１１    リム溝
１２、２２、３２、４２    外側傾斜面
１３、２３、３３、４３    内側傾斜面
２５、２６    小溝
４４    樹脂
１５０    レンズ
【図１】
2008241849.tif 000003
【図２】
2008241849.tif 000004
【図３】
2008241849.tif 000005
【図４】
2008241849.tif 000006
【図５】
2008241849.tif 000007